(57)【要約】      （修正有）【課題】衝撃が加えられたとしてもその破損を防ぐことができ、良好な肌触りを有する吸水・脱臭材の提供。【解決手段】吸水性及び脱臭性を有する珪藻土を粉砕して得た珪藻土顆粒又は粉末のうちの少なくとも一方からなる第１成分と、吸水性及び脱臭性を有するシリカゲル顆粒又は粉末のうちの少なくとも一方、吸水性及び脱臭性を有する二酸化ケイ素顆粒又は粉末のうちの少なくとも一方、吸水性及び脱臭性を有するケイ酸カルシウム顆粒又は粉状のうちの少なくとも一方、吸水性及び脱臭性を有するケイ酸マグネシウム顆粒又は粉末のうちの少なくとも一方並びに脱臭性を有する活性炭顆粒又は粉状のうちの少なくとも一方から選択される少なくとも１種類からなる第２成分と、通気性、透湿性、透水性を有して所定量の第１及び第２成分を収納した収納袋と、から形成されている、吸水・脱臭材１０Ａ〜１０Ｄ。【選択図】図１
2019037922.tif 000002
【特許請求の範囲】
【請求項１】
珪藻土を粒状に粉砕した吸水性および脱臭性を有する珪藻土顆粒と前記珪藻土を粉状に粉砕した吸水性および脱臭性を有する珪藻土粉末とのうちの少なくとも一方からなる第１成分と、通気性、透湿性、透水性を有して所定量の前記第１成分を収納した収納袋とから形成された吸水・脱臭材。
【請求項２】
前記吸水・脱臭材が、吸水性および脱臭性を有する粒状のシリカゲル顆粒と粉状のシリカゲル粉末とのうちの少なくとも一方、吸水性および脱臭性を有する粒状の二酸化ケイ素顆粒と粉状の二酸化ケイ素粉末とのうちの少なくとも一方、吸水性および脱臭性を有する粒状のケイ酸カルシウム顆粒と粉状のケイ酸カルシウム粉末とのうちの少なくとも一方、吸水性および脱臭性を有する粒状のケイ酸マグネシウム顆粒と粉状のケイ酸マグネシウム粉末とのうちの少なくとも一方、脱臭性を有する粒状の活性炭顆粒と粉状の活性炭粉末とのうちの少なくとも一方のうち、それらの少なくとも１種類からなる第２成分を含み、前記吸水・脱臭材では、所定量の前記第１成分と所定量の前記第２成分とが混合された状態で前記収納袋に収納されている請求項１に記載の吸水・脱臭材。
【請求項３】
前記収納袋に収納された前記第１成分と前記第２成分との全重量に対する該第１成分の重量割合が、７０〜８０％の範囲にあり、前記収納袋に収納された前記第１成分と前記第２成分との全重量に対する該第２成分の重量割合が、２０〜３０％の範囲にある請求項２に記載の吸水・脱臭材。
【請求項４】
前記吸水・脱臭材が、粒状のシリカエアロゲル顆粒と粉状のシリカエアロゲル粉末とのうちの少なくとも一方からなる第３成分を含み、前記吸水・脱臭材では、前記第２成分と前記第３成分とのうちの少なくとも一方と前記第１成分とが混合された状態で前記収納袋に収納されている請求項２に記載の吸水・脱臭材。
【請求項５】
前記収納袋に収納された前記第１〜第３成分の全重量に対する該第１成分の重量割合が、７０〜８０％の範囲、前記収納袋に収納された前記第１〜第３成分の全重量に対する該第２成分の重量割合が、１０〜１５％の範囲にあり、前記収納袋に収納された前記第１〜第３成分の全重量に対する該第３成分の重量割合が、１０〜２０％の範囲にある請求項４に記載の吸水・脱臭材。
【請求項６】
前記収納袋に収納された前記第１成分および前記第３成分の全重量に対する該第１成分の重量割合が、７０〜８０％の範囲にあり、前記収納袋に収納された前記第１成分および前記第３成分の全重量に対する該第３成分の重量割合が、２０〜３０％の範囲にある請求項４に記載の吸水・脱臭材。
【請求項７】
前記収容袋が、通気性、透湿性、透水性を有する繊維不織布から作られた不織布袋と、前記不織布袋の一方の表面全体と他方の表面全体とのうちの少なくとも一方の表面全体を包被する織物または編み物製の布袋とのうちの少なくとも不織布袋である請求項１ないし請求項６いずれかに記載の吸水・脱臭材。
【請求項８】
前記吸水・脱臭材が、傘を挿脱可能に収容する傘カバー、ＰＥＴボトルを挿脱可能に収容するＰＥＴボトルカバー、床に敷かれるバスマット、キッチン水切りトレイ、コースター、靴脱臭・除湿材、下駄箱脱臭・除湿材のうちのいずれかとして使用される請求項１ないし請求項６いずれかに記載の吸水・脱臭材。
【発明の詳細な説明】
【技術分野】
【０００１】
本発明は、吸水・脱臭材に関する。
【背景技術】
【０００２】
珪藻土の粉体または粒体に粘土分を含む土をバインダとして適量添加するとともに、適度の水分を含有する砂を混合してこれを所定形状に成形し、その成形品を型内において加熱焼成時間：約５〜２０分、加熱焼成温度：約９００℃で焼成することによって砂の水分を高温ガス化して拡散させ、拡散力にて成形品を膨張させて高密度化する珪藻土製成形品の製造方法が開示されている（特許文献１参照）。前記製造方法によって製造された成型品は、水分を吸収するバスマットやコースターとして利用される。
【先行技術文献】
【特許文献】
【０００３】
【特許文献１】特開２００１−２２０２６４号公報
【発明の概要】
【発明が解決しようとする課題】
【０００４】
前記特許文献１に開示の製造方法によって製造された成型品は、所定の硬度に焼成された固形物であり、柔軟性がなく、所定の衝撃が加えられると、破損する場合があるとともに、感触が硬く、その肌触りが悪いという問題がある。また、成型品を作るには、珪藻土にバインダと適度の水分を含有する砂とを混合して所定形状に成形しつつ、所定の加熱焼成温度で所定時間焼成しなければならず、その製造に手間と時間とを要する。
【０００５】
本発明の目的は、衝撃が加えられたとしてもその破損を防ぐことができ、良好な肌触りを有し、不快な感触を与えることがない吸水・脱臭材を提供することにある。本発明の他の目的は、その製造に手間と時間とを要せず、容易に製造することができる吸水・脱臭材を提供することにある。
【課題を解決するための手段】
【０００６】
前記課題を解決するための本発明の吸水・脱臭材は、珪藻土を粒状に粉砕した吸水性および脱臭性を有する珪藻土顆粒と珪藻土を粉状に粉砕した吸水性および脱臭性を有する珪藻土粉末とのうちの少なくとも一方からなる第１成分と、通気性、透湿性、透水性を有して所定量の第１成分を収納した収納袋とから形成されている。
【０００７】
本発明の一例としては、吸水・脱臭材が、吸水性および脱臭性を有する粒状のシリカゲル顆粒と粉状のシリカゲル粉末とのうちの少なくとも一方、吸水性および脱臭性を有する粒状の二酸化ケイ素顆粒と粉状の二酸化ケイ素粉末とのうちの少なくとも一方、吸水性および脱臭性を有する粒状のケイ酸カルシウム顆粒と粉状のケイ酸カルシウム粉末とのうちの少なくとも一方、吸水性および脱臭性を有する粒状のケイ酸マグネシウム顆粒と粉状のケイ酸マグネシウム粉末とのうちの少なくとも一方、脱臭性を有する粒状の活性炭顆粒と粉状の活性炭粉末とのうちの少なくとも一方のうち、それらの少なくとも１種類からなる第２成分を含み、吸水・脱臭材では、所定量の第１成分と所定量の第２成分とが混合された状態で収納袋に収納されている。
【０００８】
本発明の他の一例としては、収納袋に収納された第１成分と第２成分との全重量に対する第１成分の重量割合が、７０〜８０％の範囲にあり、収納袋に収納された第１成分と第２成分との全重量に対する第２成分の重量割合が、２０〜３０％の範囲にある。
【０００９】
本発明の他の一例としては、吸水・脱臭材が、粒状のシリカエアロゲル顆粒と粉状のシリカエアロゲル粉末とのうちの少なくとも一方からなる第３成分を含み、吸水・脱臭材では、第２成分と第３成分とのうちの少なくとも一方と第１成分とが混合された状態で収納袋に収納されている。
【００１０】
本発明の他の一例としては、収納袋に収納された第１〜第３成分の全重量に対する第１成分の重量割合が、７０〜８０％の範囲、収納袋に収納された第１〜第３成分の全重量に対する第２成分の重量割合が、１０〜１５％の範囲にあり、収納袋に収納された第１〜第３成分の全重量に対する第３成分の重量割合が、１０〜２０％の範囲にある。
【００１１】
本発明の他の一例としては、収納袋に収納された第１成分および第３成分の全重量に対する第１成分の重量割合が、７０〜８０％の範囲にあり、収納袋に収納された第１成分および第３成分の全重量に対する第３成分の重量割合が、２０〜３０％の範囲にある。
【００１２】
本発明の他の一例としては、収容袋が、通気性、透湿性、透水性を有する繊維不織布から作られた不織布袋と、不織布袋の一方の表面全体と他方の表面全体とのうちの少なくとも一方の表面全体を包被する織物または編み物製の布袋とのうちの少なくとも不織布袋である。
【００１３】
本発明の他の一例としては、吸水・脱臭材が、傘を挿脱可能に収容する傘カバー、ＰＥＴボトルを挿脱可能に収容するＰＥＴボトルカバー、床に敷かれるバスマット、キッチン水切りトレイ、コースター、靴脱臭・除湿材、下駄箱脱臭・除湿材のうちのいずれかとして使用される。
【発明の効果】
【００１４】
本発明に係る吸水・脱臭材によれば、それが珪藻土を粒状に粉砕した吸水性および脱臭性を有する珪藻土顆粒と珪藻土を粉状に粉砕した吸水性および脱臭性を有する珪藻土粉末とのうちの少なくとも一方からなる第１成分と、通気性、透湿性、透水性を有して所定量の第１成分を収納した収納袋とから形成されているから、柔軟性を有し、衝撃が加えられたとしても、その衝撃に対して自由に変形することができ、衝撃に対する破損を防ぐことができる。吸水・脱臭材は、第１成分を収納した収納袋が柔軟性を有するから、吸水・脱臭材の感触が柔らかく、良好な肌触りを有し、不快な感触を与えることがない。吸水・脱臭材は、吸水性および脱臭性を有する珪藻土顆粒と吸水性および脱臭性を有する珪藻土粉末とのうちの少なくとも一方からなる第１成分を含み、優れた吸水性と優れた脱臭性とを有するから、水分や湿気を吸収する吸水剤や除湿材として最適に使用することができ、臭気を吸収する脱臭剤として最適に使用することができる。吸水・脱臭材は、珪藻土顆粒と珪藻土粉末とのうちの少なくとも一方からなる第１成分を収納袋に収納することで作ることができるから、その製造に手間と時間とを要せず、容易に製造することができる。
【００１５】
吸水性および脱臭性を有する粒状のシリカゲル顆粒と粉状のシリカゲル粉末とのうちの少なくとも一方、吸水性および脱臭性を有する粒状の二酸化ケイ素顆粒と粉状の二酸化ケイ素粉末とのうちの少なくとも一方、吸水性および脱臭性を有する粒状のケイ酸カルシウム顆粒と粉状のケイ酸カルシウム粉末とのうちの少なくとも一方、吸水性および脱臭性を有する粒状のケイ酸マグネシウム顆粒と粉状のケイ酸マグネシウム粉末とのうちの少なくとも一方、脱臭性を有する粒状の活性炭顆粒と粉状の活性炭粉末とのうちの少なくとも一方のうち、それらの少なくとも１種類からなる第２成分を含み、所定量の第１成分と所定量の第２成分とが混合された状態で収納袋に収納されている吸水・脱臭材は、第１および第２成分と所定量の第１および第２成分を収納した収納袋とから形成されているから、柔軟性を有し、衝撃が加えられたとしても、その衝撃に対して自由に変形することができ、衝撃に対する破損を防ぐことができる。吸水・脱臭材は、第１および第２成分を収納した収納袋が柔軟性を有するから、吸水・脱臭材の感触が柔らかく、良好な肌触りを有し、不快な感触を与えることがない。吸水・脱臭材は、吸水性および脱臭性を有する珪藻土顆粒と吸水性および脱臭性を有する珪藻土粉末とのうちの少なくとも一方からなる第１成分の他に、吸水性や脱臭性を有する第２成分を含み、第１成分と第２成分とを混合した混合物が優れた吸水性と優れた脱臭性とを有するから、水分や湿気を吸収する吸水剤や除湿材として最適に使用することができ、臭気を吸収する脱臭剤として最適に使用することができる。吸水・脱臭材は、第１成分と第２成分との混合物を収納袋に収納することで作ることができるから、その製造に手間と時間とを要せず、容易に製造することができる。
【００１６】
収納袋に収納された第１成分と第２成分との全重量に対する第１成分の重量割合が７０〜８０％の範囲にあり、収納袋に収納された第１成分と第２成分との全重量に対する第２成分の重量割合が２０〜３０％の範囲にある吸水・脱臭材は、前記重量割合の第１成分と第２成分とを混合した混合物が優れた吸水性と優れた脱臭性とを有するから、水分や湿気を吸収する吸水剤や除湿材として最適に使用することができ、臭気を吸収する脱臭剤として最適に使用することができる。
【００１７】
粒状のシリカエアロゲル顆粒と粉状のシリカエアロゲル粉末とのうちの少なくとも一方からなる第３成分を含み、第２成分と第３成分とのうちの少なくとも一方と第１成分とが混合された状態で収納袋に収納されている吸水・脱臭材は、第１〜第３成分と所定量の第１〜第３成分を収納した収納袋とから形成されているから、柔軟性を有し、衝撃が加えられたとしても、その衝撃に対して自由に変形することができ、衝撃に対する破損を防ぐことができる。吸水・脱臭材は、第１〜第３成分を収納した収納袋が柔軟性を有するから、吸水・脱臭材の感触が柔らかく、良好な肌触りを有し、不快な感触を与えることがない。吸水・脱臭材は、吸水性および脱臭性を有する珪藻土顆粒と吸水性および脱臭性を有する珪藻土粉末とのうちの少なくとも一方からなる第１成分の他に、吸水性や脱臭性を有する第２成分と粒状のシリカエアロゲル顆粒と粉状のシリカエアロゲル粉末とのうちの少なくとも一方からなる第３成分とのうちの少なくとも一方を含み、第１〜第３成分を混合した混合物が優れた吸水性と優れた脱臭性とを有するから、水分や湿気を吸収する吸水剤や除湿材として最適に使用することができ、臭気を吸収する脱臭剤として最適に使用することができる。吸水・脱臭材は、第１〜第３成分の混合物を収納袋に収納することで作ることができるから、その製造に手間と時間とを要せず、容易に製造することができる。
【００１８】
収納袋に収納された第１〜第３成分の全重量に対する第１成分の重量割合が７０〜８０％の範囲、収納袋に収納された第１〜第３成分の全重量に対する第２成分の重量割合が１０〜１５％の範囲にあり、収納袋に収納された第１〜第３成分の全重量に対する第３成分の重量割合が１０〜２０％の範囲にある吸水・脱臭材は、前記重量割合の第１〜第３成分を混合した混合物が優れた吸水性と優れた脱臭性とを有するから、水分や湿気を吸収する吸水剤や除湿材として最適に使用することができ、臭気を吸収する脱臭剤として最適に使用することができる。
【００１９】
収納袋に収納された第１成分および第３成分の全重量に対する第１成分の重量割合が７０〜８０％の範囲にあり、収納袋に収納された第１成分および第３成分の全重量に対する第３成分の重量割合が２０〜３０％の範囲にある吸水・脱臭材は、前記重量割合の第１成分と第３成分とを混合した混合物が優れた吸水性と優れた脱臭性とを有するから、水分や湿気を吸収する吸水剤や除湿材として最適に使用することができ、臭気を吸収する脱臭剤として最適に使用することができる。
【００２０】
収容袋が通気性、透湿性、透水性を有する繊維不織布から作られた不織布袋と、不織布袋の一方の表面全体と他方の表面全体とのうちの少なくとも一方の表面全体を包被する織物または編み物製の布袋とのうちの少なくとも不織布袋である吸水・脱臭材は、収容袋が不織布袋と不織布袋の一方の表面全体と他方の表面全体とのうちの少なくとも一方の表面全体を包被する布袋とのうちの少なくとも不織布袋であるから、収容袋が柔軟性を有し、衝撃が加えられたとしても、その衝撃に対して自由に変形することができ、衝撃に対する破損を防ぐことができる。吸水・脱臭材は、収納袋が不織布袋と布袋とのうちの少なくとも不織布袋から作られ、収納袋が柔軟性を有するから、吸水・脱臭材の感触が柔らかく、良好な肌触りを有し、不快な感触を与えることがない。吸水・脱臭材は、収容袋が通気性、透湿性、透水性を有し、収容袋を透過した水分や湿気を第１成分や第２成分、第３成分に確実に吸収させることができ、収容袋を透過した臭い成分を第１成分や第２成分、第３成分に確実に吸着させることができるから、水分や湿気を吸収する吸水剤や除湿材として最適に使用することができ、臭気を吸収する脱臭剤として最適に使用することができる。
【００２１】
吸水・脱臭材が傘を挿脱可能に収容する傘カバー、ＰＥＴボトルを挿脱可能に収容するＰＥＴボトルカバー、床に敷かれるバスマット、キッチン水切りトレイ、コースター、靴脱臭・除湿材、下駄箱脱臭・除湿材のうちのいずれかとして使用される吸水・脱臭材は、それが傘カバーとして使用される場合、傘に付着した雨水を迅速に吸収することができ、傘に付着した雨水の外部への漏出や滴下を防ぐことができるとともに、傘のさび付きを防ぐことができる。吸水・脱臭材がＰＥＴボトルカバーとして使用される場合、ＰＥＴボトルに付着した水滴を迅速に吸収することができ、さらに吸水・脱臭材が優れた断熱性を有することから、ＰＥＴボトルの温度上昇や温度低下を防ぐことができる。吸水・脱臭材がバスマットとして使用される場合、人の体から滴り落ちた水滴や人の足裏に付着した水分を素早く吸収することができ、足裏のべたつき感を迅速に除去することができる。吸水・脱臭材がキッチン水切りトレイとして使用される場合、食器や調理器具、食材等から滴り落ちた水滴を迅速に吸収することができ、食器や調理器具、食材等の乾燥状態を保持することができるとともに、カビ臭やカルキ臭、塩素臭等の水の臭いを食器や調理具、食材等から除去することができる。吸水・脱臭材がコースターとして使用される場合、コップやタンブラー、ジョッキ等から滴り落ちた水滴を素早く吸収することができ、コップやタンブラー、ジョッキ等から滴り落ちた水滴の水溜まりを防ぐことができる。吸水・脱臭材が靴脱臭・除湿材として使用される場合、それを靴の中（内部）に設置することで、靴の中の湿気を取り除くことができ、靴の不快な臭いを取り除くことができる。吸水・脱臭材が下駄箱脱臭・除湿材として使用される場合、それを下駄箱の中に設置することで、下駄箱の中の湿気を取り除くことができ、下駄箱の不快な臭いを取り除くことができる。
【図面の簡単な説明】
【００２２】
【図１】一例として示す吸水・脱臭材の斜視図。
【図２】図１のＡ−Ａ線矢視断面図。
【図３】一例として示す傘カバーの斜視図。
【図４】折り畳み雨傘を収容した傘カバーの斜視図。
【図５】一例として示すＰＥＴボトルカバーの斜視図。
【図６】一例として示すバスマットの斜視図。
【図７】一例として示すキッチン水切りトレイの斜視図。
【図８】一例として示すコースターの斜視図。
【図９】一例として示す靴脱臭・除湿材の斜視図。
【図１０】靴の内部に挿入された状態の靴脱臭・除湿材の斜視図。
【図１１】一例として示す下駄箱脱臭・除湿材の斜視図
【発明を実施するための形態】
【００２３】
一例として示す吸水・脱臭材１０Ａ〜１０Ｄの斜視図である図１等の添付の図面を参照し、本発明に係る吸水・脱臭材１０の詳細を説明すると、以下のとおりである。なお、図２は、図１のＡ−Ａ線矢視断面図である。一例として示す吸水・脱臭材１０Ａは、収納袋１１と、その収納袋１１の内部に収納された第１成分とから形成される。収納袋１１には、通気性、透湿性、透水性を有する繊維不織布から作られた不織布袋１２が使用される。なお、収納袋１１が通気性、透湿性、透水性を有する繊維不織布から作られた不織布袋１２と不織布袋１２の一方の表面全体と他方の表面全体とのうちの少なくとも一方の表面全体を包被する織物または編み物製の布袋１３とから作られていてもよい。
【００２４】
第１成分の一例は、珪藻土を粒状に粉砕した吸水性（吸放湿性）および脱臭性を有する珪藻土顆粒である。収納袋１１（不織布袋１２）の内部には、所定量の珪藻土顆粒が収納されている。第１成分の他の一例は、珪藻土を粉状に粉砕した吸水性（吸放湿性）および脱臭性を有する珪藻土粉末である。収納袋１１（不織布袋１２）の内部には、所定量の珪藻土粉末が収納されている。第１成分の他の一例は、珪藻土を粒状に粉砕した吸水性（吸放湿性）および脱臭性を有する珪藻土顆粒と珪藻土を粉状に粉砕した吸水性（吸放湿性）および脱臭性を有する珪藻土粉末との混合物である。収納袋１１（不織布袋１２）の内部には、珪藻土顆粒と珪藻土粉末とを混合した所定量の混合物が収納されている。
【００２５】
通気性、透湿性、透水性を有する繊維不織布には、スパンレース法によって作られたスパンレース不織布やメルトブローン法によって作られたメルトブローン不織布、ＳＭＳ法によって作られたＳＭＳ不織布、フラッシュスパン法によって作られたフラッシュスパン不織布を使用することができる。また、スパンレース不織布やメルトブローン不織布、ＳＭＳ不織布、フラッシュスパン不織布のうちの少なくとも２種類の不織布を少なくとも２層以上に積層した複合不織布を使用することもできる。
【００２６】
繊維不織布には、既述のそれらの他に、サーマルボンド法によって作られたサーマルボンド不織布、ケミカルボンド法によって作られたケミカルボンド不織布、ニードルパンチ法によって作られたニードルパンチ不織布、ステッチボンド法によって作られたステッチボンド不織布を使用することもできる。それら繊維不織布には、ナイロンやポリエステル、ポリプロピレン、キュプラ等を材料とした長繊維から作られ、低発塵であることが好ましい。なお、それら繊維不織布がナイロンやポリエステル、ポリプロピレン、キュプラ等を材料とした短繊維から作られていてもよい。
【００２７】
不織布袋１２は、その平面形状が矩形に成形され、重なり合う不織布袋１２どうしがその両端縁部１４および両側縁部１５（周縁部）に延びる溶着線１６によって接合され、両側縁部１５の間で幅方向へ等間隔離間して縦方向へ直状に延びる溶着線１６によって接合されているとともに、両端縁部１４の間で縦方向へ等間隔離間して幅方向へ直状に延びる溶着線１６によって接合されている。
【００２８】
それら溶着線１６では、ヒートシールやソニックシール等の熱溶着手段によって繊維不織布どうしが溶着している。それら溶着線１６の間には幅方向へ並ぶ複数の収納部１７が形成され、第１成分がそれら収納部１７に収納されている。収納部１７ではそこに収納された第１成分によってその厚みが増加し、収納部１７が膨隆している。
【００２９】
なお、不織布袋１２どうしがその周縁部（両端縁部１４および両側縁部１５）のみに延びる溶着線１６によって接合されていてもよく、不織布袋１２どうしがその周縁部（両端縁部１４および両側縁部１５）に延びる溶着線１６と、両側縁部１５の間で幅方向へ等間隔離間して直状に延びる溶着線１６とによって接合されていてもよい。また、不織布袋１２どうしがその周縁部（両端縁部１４および両側縁部１５）に延びる溶着線１６と、両端縁部１４の間で縦方向へ等間隔離間して直状に延びる溶着線１６とによって接合されていてもよい。不織布１２どうしが縫製によって接合されていてもよい。
【００３０】
吸水・脱臭材１０Ａは、それが珪藻土を粒状に粉砕した吸水性（吸放湿性）および脱臭性を有する珪藻土顆粒と珪藻土を粉状に粉砕した吸水性（吸放湿性）および脱臭性を有する珪藻土粉末とのうちの少なくとも一方からなる第１成分と、通気性、透湿性、透水性を有して所定量の第１成分を収納した収納袋１１（不織布袋１２、または、不織布袋１２および布袋１３）とから形成されているから、吸水・脱臭材１０Ａが柔軟性を有し、吸水・脱臭材１０Ａに衝撃が加えられたとしても、その衝撃に対して自由に変形することができ、衝撃に対する吸水・脱臭材１０Ａの破損を防ぐことができる。吸水・脱臭材１０Ａは、第１成分を収納した収納袋１１が不織布袋１２と布袋１３とのうちの少なくとも不織布袋１２から作られ、収納袋１１が柔軟性を有するから、吸水・脱臭材１０Ａの感触が柔らかく、吸水・脱臭材１０Ａが良好な肌触りを有し、吸水・脱臭材１０Ａの使用者に不快な感触を与えることがない。
【００３１】
吸水・脱臭材１０Ａは、珪藻土顆粒と珪藻土粉末とのうちの少なくとも一方からなる第１成分を収納袋１１に収納することで作ることができるから、その製造に手間と時間とを要せず、容易に製造することができる。吸水・脱臭材１０Ａは、吸水性（吸放湿性）および脱臭性を有する珪藻土顆粒と、吸水性（吸放湿性）および脱臭性を有する珪藻土粉末とのうちの少なくとも一方からなる第１成分を含み、優れた吸水性（吸放湿性）と優れた脱臭性とを有するから、水分や湿気を吸収する吸水剤や除湿材として最適に使用することができ、臭気を吸収する脱臭剤として最適に使用することができる。
【００３２】
他の一例として示す吸水・脱臭材１０Ｂは、収納袋１１（不織布袋１２、または、不織布袋１２および布袋１３）と、その収納袋１１の内部に収納された第１成分および第２成分とから形成される。収納袋１１や第１成分は、既述のとおりである。吸水・脱臭材１０Ｂでは、所定量の第１成分と所定量の第２成分とを均一に満遍なく混合した混合物が収納袋１１に収納されている。収納袋１１では、第１成分および第２成分の混合物が各収納部１７に収納され、第１成分および第２成分によって収納部１７が膨隆している。収納袋１１に収納された第１成分と第２成分との全重量（混合物の全重量）に対する第１成分の重量割合は、７０〜８０％の範囲にある。収納袋１１に収納された第１成分と第２成分との全重量（混合物の全重量）に対する第２成分の重量割合は、２０〜３０％の範囲にある。
【００３３】
第２成分は、吸水性および脱臭性を有する粒状のシリカゲル顆粒と吸水性および脱臭性を有する粉状のシリカゲル粉末とのうちの少なくとも一方、吸水性および脱臭性を有する粒状の二酸化ケイ素顆粒と吸水性および脱臭性を有する粉状の二酸化ケイ素粉末とのうちの少なくとも一方、吸水性および脱臭性を有する粒状のケイ酸カルシウム顆粒と吸水性および脱臭性を有する粉状のケイ酸カルシウム粉末とのうちの少なくとも一方、吸水性および脱臭性を有する粒状のケイ酸マグネシウム顆粒と吸水性および脱臭性を有する粉状のケイ酸マグネシウム粉末とのうちの少なくとも一方、脱臭性を有する粒状の活性炭顆粒と脱臭性を有する粉状の活性炭粉末とのうちの少なくとも一方のうち、それらの少なくとも１種類である。第２成分の組み合わせは任意であり、それら成分のうちの２種類以上の成分を混合したものであってもよい。
【００３４】
吸水・脱臭材１０Ｂは、第１成分および第２成分と、通気性、透湿性、透水性を有して所定量の第１および第２成分を収納した収納袋１１（不織布袋１２、または、不織布袋１２および布袋１３）とから形成されているから、吸水・脱臭材１０Ｂが柔軟性を有し、吸水・脱臭材１０Ｂに衝撃が加えられたとしても、その衝撃に対して自由に変形することができ、衝撃に対する吸水・脱臭材１０Ｂの破損を防ぐことができる。吸水・脱臭材１０Ｂは、第１成分と第２成分とを混合した混合物を収納した収納袋１１が不織布袋１２と布袋１３とのうちの少なくとも不織布袋１２から作られ、収納袋１１が柔軟性を有するから、吸水・脱臭材１０Ｂの感触が柔らかく、吸水・脱臭材１０Ｂが良好な肌触りを有し、吸水・脱臭材１０Ｂの使用者に不快な感触を与えることがない。吸水・脱臭材１０Ｂは、第１成分と第２成分との混合物を収納袋に収納することで作ることができるから、その製造に手間と時間とを要せず、容易に製造することができる。
【００３５】
吸水・脱臭材１０Ｂは、吸水性（吸放湿性）および脱臭性を有する珪藻土顆粒と吸水性（吸放湿性）および脱臭性を有する珪藻土粉末とのうちの少なくとも一方からなる第１成分と、吸水性（吸放湿性）および脱臭性を有する第２成分とを含み、第２成分が吸水性および脱臭性を有する粒状のシリカゲル顆粒と吸水性および脱臭性を有する粉状のシリカゲル粉末とのうちの少なくとも一方、吸水性および脱臭性を有する粒状の二酸化ケイ素顆粒と吸水性および脱臭性を有する粉状の二酸化ケイ素粉末とのうちの少なくとも一方、吸水性および脱臭性を有する粒状のケイ酸カルシウム顆粒と吸水性および脱臭性を有する粉状のケイ酸カルシウム粉末とのうちの少なくとも一方、吸水性および脱臭性を有する粒状のケイ酸マグネシウム顆粒と吸水性および脱臭性を有する粉状のケイ酸マグネシウム粉末とのうちの少なくとも一方、脱臭性を有する粒状の活性炭顆粒と脱臭性を有する粉状の活性炭粉末とのうちの少なくとも一方のうち、それらの少なくとも１種類であるから、既述の重量割合の第１成分と第２成分とを混合した混合物が優れた吸水性（吸放湿性）と優れた脱臭性とを有し、水分や湿気を吸収する吸水剤や除湿材として最適に使用することができ、臭気を吸収する脱臭剤として最適に使用することができる。
【００３６】
他の一例として示す吸水・脱臭材１０Ｃは、収納袋１１（不織布袋１２、または、不織布袋１２および布袋１３）と、その収納袋１１の内部に収納された第１成分、第２成分、第３成分とから形成される。収納袋１１や第１成分、第２成分は、既述のとおりである。吸水・脱臭材１０Ｃでは、所定量の第１成分と所定量の第２成分と所定量の第３成分とを均一に満遍なく混合した混合物が収納袋１１に収納されている。収納袋１１では、第１成分、第２成分、第３成分の混合物が各収納部１７に収納され、第１成分、第２成分、第３成分によって収納部１７が膨隆している。
【００３７】
収納袋１１に収納された第１〜第３成分の全重量（混合物の全重量）に対する第１成分の重量割合は、７０〜８０％の範囲にある。収納袋１１に収納された第１〜第３成分の全重量（混合物の全重量）に対する第２成分の重量割合は、１０〜１５％の範囲にある。収納袋１１に収納された第１〜第３成分の全重量（混合物の全重量）に対する第３成分の重量割合は、１０〜２０％の範囲にある。第３成分は、吸水性および脱臭性を有する粒状のシリカエアロゲル顆粒と、吸水性および脱臭性を有する粉状のシリカエアロゲル粉末とのうちの少なくとも一方である。
【００３８】
吸水・脱臭材１０Ｃは、第１〜第３成分と、通気性、透湿性、透水性を有して所定量の第１〜第３成分を収納した収納袋１１（不織布袋１２、または、不織布袋１２および布袋１３）とから形成されているから、吸水・脱臭材１０Ｃが柔軟性を有し、吸水・脱臭材１０Ｃに衝撃が加えられたとしても、その衝撃に対して自由に変形することができ、衝撃に対する吸水・脱臭材１０Ｃの破損を防ぐことができる。吸水・脱臭材１０Ｃは、第１〜第３成分を混合した混合物を収納した収納袋１１が不織布袋１２と布袋１３とのうちの少なくとも不織布袋１２から作られ、収納袋１１が柔軟性を有するから、吸水・脱臭材１０Ｃの感触が柔らかく、吸水・脱臭材１０Ｃが良好な肌触りを有し、吸水・脱臭材１０Ｃの使用者に不快な感触を与えることがない。吸水・脱臭材１０Ｃは、第１〜第３成分の混合物を収納袋１１に収納することで作ることができるから、その製造に手間と時間とを要せず、容易に製造することができる。
【００３９】
吸水・脱臭材１０Ｃは、吸水性（吸放湿性）および脱臭性を有する珪藻土顆粒と吸水性（吸放湿性）および脱臭性を有する珪藻土粉末とのうちの少なくとも一方からなる第１成分と、吸水性（吸放湿性）および脱臭性を有する第２成分と、吸水性（吸放湿性）および脱臭性を有する第３成分とを含み、第２成分が吸水性および脱臭性を有する粒状のシリカゲル顆粒と吸水性および脱臭性を有する粉状のシリカゲル粉末とのうちの少なくとも一方、吸水性および脱臭性を有する粒状の二酸化ケイ素顆粒と吸水性および脱臭性を有する粉状の二酸化ケイ素粉末とのうちの少なくとも一方、吸水性および脱臭性を有する粒状のケイ酸カルシウム顆粒と吸水性および脱臭性を有する粉状のケイ酸カルシウム粉末とのうちの少なくとも一方、吸水性および脱臭性を有する粒状のケイ酸マグネシウム顆粒と吸水性および脱臭性を有する粉状のケイ酸マグネシウム粉末とのうちの少なくとも一方、脱臭性を有する粒状の活性炭顆粒と脱臭性を有する粉状の活性炭粉末とのうちの少なくとも一方のうち、それらの少なくとも１種類であり、第３成分が粒状のシリカエアロゲル顆粒と吸水性（吸放湿性）および脱臭性を有する粉状のシリカエアロゲル粉末とのうちの少なくとも一方であるから、既述の重量割合の第１〜第３成分を混合した混合物が優れた吸水性（吸放湿性）と優れた脱臭性とを有するから、水分や湿気を吸収する吸水剤や除湿材として最適に使用することができ、臭気を吸収する脱臭剤として最適に使用することができる。
【００４０】
他の一例として示す吸水・脱臭材１０Ｄは、収納袋１１（不織布袋１２、または、不織布袋１２および布袋１３）と、その収納袋１１の内部に収納された第１成分および第３成分とから形成される。収納袋１１や第１成分、第３成分は、既述のとおりである。吸水・脱臭材１０Ｄでは、所定量の第１成分と所定量の第３成分とを混合した混合物が収納袋１１に収納されている。収納袋１１では、第１成分および第３成分の混合物が各収納部１７に収納され、第１成分および第３成分によって収納部１７が膨隆している。収納袋１１に収納された第１成分および第３成分の全重量（混合物の全重量）に対する第１成分の重量割合は、７０〜８０％の範囲にあり、収納袋１１に収納された第１成分および第３成分の全重量（混合物の全重量）に対する第３成分の重量割合は、２０〜３０％の範囲にある。
【００４１】
吸水・脱臭材１０Ｄは、第１成分および第３成分と、通気性、透湿性、透水性を有して所定量の第１および第３成分を収納した収納袋１１（不織布袋１２、または、不織布袋１２および布袋１３）とから形成されているから、吸水・脱臭材１０Ｄが柔軟性を有し、吸水・脱臭材１０Ｄに衝撃が加えられたとしても、その衝撃に対して自由に変形することができ、衝撃に対する吸水・脱臭材１０Ｄの破損を防ぐことができる。吸水・脱臭材１０Ｄは、第１成分および第３成分を混合した混合物を収納した収納袋１１が不織布袋１２と布袋１３とのうちの少なくとも不織布袋１２から作られ、収納袋１１が柔軟性を有するから、吸水・脱臭材１０Ｄの感触が柔らかく、吸水・脱臭材１０Ｄが良好な肌触りを有し、吸水・脱臭材１０Ｄの使用者に不快な感触を与えることがない。吸水・脱臭材１０Ｄは、第１成分および第３成分の混合物を収納袋１１に収納することで作ることができるから、その製造に手間と時間とを要せず、容易に製造することができる。
【００４２】
吸水・脱臭材１０Ｄは、吸水性（吸放湿性）および脱臭性を有する珪藻土顆粒と吸水性（吸放湿性）および脱臭性を有する珪藻土粉末とのうちの少なくとも一方からなる第１成分と、吸水性（吸放湿性）および脱臭性を有する粒状のシリカエアロゲル顆粒と吸水性（吸放湿性）および脱臭性を有する粉状のシリカエアロゲル粉末とのうちの少なくとも一方からなる第３成分とを含み、既述の重量割合の第１成分および第３成分を混合した混合物が優れた吸水性（吸放湿性）と優れた脱臭性とを有するから、水分や湿気を吸収する吸水剤や除湿材として最適に使用することができ、臭気を吸収する脱臭剤として最適に使用することができる。
【００４３】
図３は、一例として示す傘カバー１８の斜視図であり、図４は、折り畳み雨傘１９を収容した傘カバー１８の斜視図である。傘カバー１８は、第１成分、または、第１成分と第２成分との混合物、あるいは、第１成分と第２成分と第３成分との混合物、もしくは、第１成分と第３成分との混合物のいずれかを収納袋１１に収納した吸水・脱臭材１０Ａ〜１０Ｄのうちのいずれかから作られている。収納袋１１は、通気性、透湿性、透水性を有する繊維不織布から作られた不織布袋１２と、不織布袋１２の一方の表面全体および他方の表面全体（外表面全体）を包被する織物または編み物製の布袋１３（不織布袋１２をその内部に収容した布袋１３）とから作られている。不織布袋１２と布袋１３とは、それらの周縁部において縫製によって連結（一体化）されている。
【００４４】
傘カバー１８は、収納袋１１の一方の側部と他方の側部の略下半分と下端部とが縫製によって接合されている。傘カバー１８の他方の側部の略上半分には、スライダーを備えた線ファスナーが取り付けられている。傘カバー１８には、折り畳まれた折り畳み雨傘１９を挿入する挿入開口２０と、収納袋１１（不織布袋１２および布袋１３）に囲繞されて折り畳み雨傘１９を収容する収容部２１とが形成されている。
【００４５】
傘カバー１８では、不織布袋１２の一方の表面全体および他方の表面全体が布袋１３の生地に包被され（覆われ）、傘カバー１８の外側（収容部２１の外側）に布袋１３の生地が露出しつつ、傘カバー１８の内側（内部）（収容部２１の内側）に布袋１３の生地が位置する。なお、不織布袋１２の一方の表面全体のみが布袋１３の生地に包被され（覆われ）、傘カバー１８の外側（収容部２１の外側）に布袋１３の生地が露出し、傘カバー１８の内側（内部）（収容部２１の内側）に不織布袋１２が位置する場合がある。この場合は、不織布袋１２と布袋１３の生地とが縫製によって連結（一体化）される。
【００４６】
傘カバー１８は、スライダーを引き下げて線ファスナーを開放し、挿入開口２０を広げた状態で挿入開口２０に折り畳まれた折り畳み雨傘１９を挿入し、収容部２１に折り畳み雨傘１９を挿脱可能に収容した後、スライダーを引き上げて線ファスナーを閉める。なお、折り畳み雨傘１９を挿入する挿入開口２０と折り畳み雨傘１９を収容する収容部２１とが形成されていればよく、傘カバー１８の外観形状に特に制限はない。また、その大きさにも特に制限はなく、長雨傘を挿脱可能かつ収容可能な形状および大きさであってもよい。さらに、線ファスナーの他に、フックとループとを備えたメカニカルファスナを利用し、メカニカルファスナを係合させて挿入開口１９を閉めることもできる。
【００４７】
傘カバー１８では、雨傘１９に付着した雨水（水滴）が布袋１３の生地および不織布袋１２の生地を通過し、または、傘カバー１８の内側（内部）（収容部２１の内側）に不織布袋１２が位置する場合は雨水（水滴）が不織布袋１２の生地を通過し、第１成分、または、第１成分と第２成分との混合物、あるいは、第１成分と第２成分と第３成分との混合物、もしくは、第１成分と第３成分との混合物に吸収保持される。傘カバー１８は、雨傘１９に付着した雨水が傘カバー１８の外側（収容部２１の外側）に漏れ出すことはなく、雨傘１９に付着した雨水の水切りを行うことができる。なお、雨水（水滴）を吸収保持した傘カバー１８は、それを干すことで水分が傘カバー１８（吸水・脱臭材１０Ａ〜１０Ｄのうちのいずれか）から外部に放出され、傘カバー１８が乾燥する。傘カバー１８は、それを干して乾燥させることで繰り返し使用することができる。
【００４８】
傘カバー１８は、雨傘１９に付着した雨水（水滴）が雨傘１９からそれら成分に吸収保持されるから、雨傘１９に付着した雨水（水滴）を迅速に吸収することができ、雨傘１９が乾燥するとともに、雨傘１９の乾燥状態を保持することができる。傘カバー１８は、それが吸水・脱臭材１０Ａ〜１０Ｄのうちのいずれかから作られ、雨傘１９に付着した雨水（水滴）がそれら成分に吸収保持されることで雨水（水滴）を迅速に吸収することができるから、雨傘１９に付着した雨水の外部への漏れ出しや滴下を防ぐことができるとともに、雨傘１９のさび付きを防ぐことができる。
【００４９】
図５は、一例として示すＰＥＴボトルカバー２２の斜視図である。ＰＥＴボトルカバー２２は、第１成分、または、第１成分と第２成分との混合物、あるいは、第１成分と第２成分と第３成分との混合物、もしくは、第１成分と第３成分との混合物のいずれかを収納袋１１に収納した吸水・脱臭材１０Ａ〜１０Ｄのうちのいずれかから作られている。収納袋１１は、通気性、透湿性、透水性を有する繊維不織布から作られた不織布袋１２と、不織布袋１２の一方の表面全体および他方の表面全体（外表面全体）を包被する織物または編み物製の布袋１３（不織布袋１２をその内部に収容した布袋１３）とから作られている。不織布袋１２と布袋１３とは、それらの周縁部において縫製によって連結（一体化）されている。
【００５０】
ＰＥＴボトルカバー２２は、円形の底壁部２３と、底壁部２３の周縁から上方へ延びる周壁部２４とを有し、上下方向へ長い略円筒状に成形されている。ＰＥＴボトルカバー２２には、ＰＥＴボトル２５を挿入する挿入開口２６と、ＰＥＴボトル２５を収容する収容部２７とが形成されている。挿入開口２６を囲繞する周壁部２６の頂部分には、挿入開口２６を開閉する巾着紐２８が取り付けられている。
【００５１】
ＰＥＴボトルカバー２２では、不織布袋１２の一方の表面全体および他方の表面全体が布袋１３の生地に包被され（覆われ）、ＰＥＴボトルカバー２２の外側（収容部２７の外側）に布袋１３の生地が露出しつつ、ＰＥＴボトルカバー２２の内側（内部）（収容部２７の内側）に布袋１３の生地が位置する。なお、不織布袋１２の一方の表面全体のみが布袋１３の生地に包被され（覆われ）、ＰＥＴボトルカバー２２の外側（収容部２７の外側）に布袋１３の生地が露出し、ＰＥＴボトルカバー２２の内側（内部）（収容部２７の内側）に不織布袋１２が位置する場合がある。この場合は、不織布袋１２と布袋１３の生地とが縫製によって連結（一体化）される。
【００５２】
ＰＥＴボトルカバー２２は、巾着紐２８を緩めて挿入開口２６を広げ、挿入開口２６を広げた状態で挿入開口２６にＰＥＴボトル２５を挿入し、収容部２７にＰＥＴボトル２５を挿脱可能に収容した後、巾着紐２８を締めて挿入開口２６を閉じる。なお、ＰＥＴボトル２５を挿入する挿入開口２６とＰＥＴボトル２５を収容する収容部２７が形成されていればよく、ＰＥＴボトルカバー２２の外観形状に特に制限はない。また、その大きさにも特に制限はなく、各種のＰＥＴボトルを挿脱可能かつ収容可能な形状および大きさであってもよい。さらに、巾着紐２８の他に、スライダーを備えて線ファスナーを利用し、線ファスナーを閉めることで挿入開口２６を閉じることもでき、フックとループとを備えたメカニカルファスナを利用し、メカニカルファスナを係合させて挿入開口２６を閉じることもできる。
【００５３】
ＰＥＴボトルカバー２２では、ＰＥＴボトル２５の表面に付着した水滴が布袋１３の生地および不織布袋１２の生地を通過し、または、ＰＥＴボトルカバー２２の内側（内部）（収容部２７の内側）に不織布袋１２が位置する場合は水滴が不織布袋１２の生地を通過し、第１成分、または、第１成分と第２成分との混合物、あるいは、第１成分と第２成分と第３成分との混合物、もしくは、第１成分と第３成分との混合物に吸収保持される。ＰＥＴボトルカバー２２は、ＰＥＴボトル２５に付着した水滴がＰＥＴボトルカバー２２の外側（収容部２７の外側）に漏れ出すことはなく、ＰＥＴボトル２５に付着した水滴の水切りを行うことができる。水滴を吸収保持したＰＥＴボトルカバー２２は、それを干すことで水分がＰＥＴボトルカバー２２（吸水・脱臭材１０Ａ〜１０Ｄのうちのいずれか）から外部に放出され、ＰＥＴボトルカバー２２が乾燥する。ＰＥＴボトルカバー２２は、それを干して乾燥させることで繰り返し使用することができる。
【００５４】
ＰＥＴボトルカバー２２は、ＰＥＴボトル２５に付着した水滴がＰＥＴボトル２５からそれら成分に吸収保持されるから、ＰＥＴボトル２５の表面に付着した水滴を迅速に吸収することができ、ＰＥＴボトル２５の表面が乾燥するとともに、ＰＥＴボトル２５の表面の乾燥状態を保持することができる。ＰＥＴボトルカバー２２は、吸水・脱臭材１０Ａ〜１０Ｄが優れた断熱性を有することから、ＰＥＴボトルカバー２２の収容部２７に収容されたＰＥＴボトル２２の温度上昇や温度低下を防ぐことができる。ＰＥＴボトルカバー２２は、それが吸水・脱臭材１０Ａ〜１０Ｄのうちのいずれかから作られ、ＰＥＴボトル２５に付着した水滴がそれら成分に吸収保持されることで水滴を迅速に吸収することができるから、ＰＥＴボトル２５に付着した水滴の外部への漏れ出しや水滴の滴下を防ぐことができる。
【００５５】
図６は、一例として示すバスマット２９の斜視図である。バスマット２９は、第１成分、または、第１成分と第２成分との混合物、あるいは、第１成分と第２成分と第３成分との混合物、もしくは、第１成分と第３成分との混合物のいずれかを収納袋１１に収納した吸水・脱臭材１０Ａ〜１０Ｄのうちのいずれかから作られている。収納袋１１は、通気性、透湿性、透水性を有する繊維不織布から作られた不織布袋１２と、不織布袋１２の一方の表面全体および他方の表面全体（外表面全体）を包被する織物または編み物製の布袋１３（不織布袋１２をその内部に収容した布袋１３）とから作られている。
【００５６】
バスマット２９（不織布袋１２および布袋１３）は、その平面形状が長方形に成形されている。布袋１３は、一方の側部と両端部とが縫製によって接合されている。布袋１３の他方の側部には、スライダーを備えた線ファスナーが取り付けられている。バスマット２９では、不織布袋１２が布袋１３の内部に挿脱可能に収容され、不織布袋１２の一方の表面全体および他方の表面全体（外表面全体）が布袋１３に包被されている（覆われている）。
【００５７】
なお、バスマット２９の平面形状に特に限定はなく、平面形状を円形や楕円形、星形等のあらゆる形状に成形することができる。また、バスマット２９の大きさについても特に制限はない。さらに、線ファスナーの他に、フックとループとを備えたメカニカルファスナを布袋１３の他方の側部に取り付け、メカニカルファスナを利用して布袋１３の他方の側部を開閉することもできる。
【００５８】
バスマット２９では、床（床面）に載置されて床に敷かれ、その上（布袋１３の生地の上）を人が位置する。バスマット２９では、その上に位置する人の体に付着した水滴がバスマット２９の上に落ちると、水滴が布袋１３の生地および不織布袋１２の生地を通過し、第１成分、または、第１成分と第２成分との混合物、あるいは、第１成分と第２成分と第３成分との混合物、もしくは、第１成分と第３成分との混合物に吸収保持される。バスマット２９は、人の体から滴り落ちた水滴がバスマット２９の外側に漏れ出すことはなく、人の体から滴り落ちた水滴や人の足裏に付着した水分の水切りを行うことができる。
【００５９】
水分を吸収保持したバスマット２９は、それを干すことで水分がバスマット２９（吸水・脱臭材１０Ａ〜１０Ｄのうちのいずれか）から外部に放出され、バスマット２９が乾燥する。バスマット２９は、それを干して乾燥させることで繰り返し使用することができる。なお、複数回の使用で布袋１３が汚れた場合、布袋１３の他方の側部に取り付けられた線ファスナーのスライダーをスライドさせて（引き下げて）布袋１３の他方の側部を開放し、布袋１３の他方の側部から不織布袋１２を取り出し、不織布袋１２と布袋１３とを分離して布袋１３を洗濯する。洗濯した布袋１３の他方の側部から不織布袋１２を挿入し、不織布袋１２を布袋１２の内部に収容した後、スライダーをスライドさせて（引き上げて）布袋１３の他方の側部を閉める。バスマット２９は、布袋１３が汚れた場合、布袋１３を洗濯することで布袋１３の汚れを落とすことができるから、清潔な状態で使用することができる。
【００６０】
バスマット２９は、人の体から滴り落ちた水滴や人の足裏に付着した水分がそれら成分に吸収保持されるから、足裏のべたつき感を迅速に除去することができ、人の体から滴り落ちた水滴や人の足裏に付着した水分が周囲に散らばることはなく、床面の美感や清潔感を保持することができる。バスマット２９は、それが吸水・脱臭材１０Ａ〜１０Ｄのうちのいずれかから作られ、人の体から滴り落ちた水滴や人の足裏に付着した水分を迅速に吸収することができるから、人の体や足裏に付着した水滴の床面への散在を防ぐことができる。
【００６１】
図７は、一例として示すキッチン水切りトレイ３０の斜視図である。キッチン水切りトレイ３０は、第１成分、または、第１成分と第２成分との混合物、あるいは、第１成分と第２成分と第３成分との混合物、もしくは、第１成分と第３成分との混合物のいずれかを収納袋に収納した吸水・脱臭材１０Ａ〜１０Ｄのうちのいずれかから作られている。収納袋１１は、通気性、透湿性、透水性を有する繊維不織布から作られた不織布袋１２と、不織布袋１２の一方の表面全体および他方の表面全体（外表面全体）を包被する織物または編み物製の布袋１３（不織布袋１２をその内部に収容した布袋１３）とから作られている。
【００６２】
キッチン水切りトレイ３０（不織布袋１２および布袋１３）は、その平面形状が長方形に成形されている。布袋１３は、一方の側部と両端部とが縫製によって接合されている。布袋１３の他方の側部には、スライダーを備えた線ファスナーが取り付けられている。キッチン水切りトレイ３０では、不織布袋１２が布袋１３の内部に挿脱可能に収容され、不織布袋１２の一方の表面全体および他方の表面全体（外表面全体）が布袋１３に包被されている（覆われている）。
【００６３】
なお、キッチン水切りトレイ３０の平面形状に特に限定はなく、平面形状を円形や楕円形、菱形等のあらゆる形状に成形することができる。また、キッチン水切りトレイ３０の大きさについても特に制限はない。さらに、線ファスナーの他に、フックとループとを備えたメカニカルファスナを布袋１３の他方の側部に取り付け、メカニカルファスナを利用して布袋１３の他方の側部を開閉することもできる。
【００６４】
キッチン水切りトレイ３０は、キッチンの流し台や調理台に置かれ、その上（布袋１３の生地の上）に食器や調理器具、食材等が載置される。キッチン水切りトレイ３０では、その上に載置された食器や調理器具、食材等に付着した水滴がキッチン水切りトレイ３０の上に落ちると、水滴が布袋１３の生地および不織布袋１２の生地を通過し、第１成分、または、第１成分と第２成分との混合物、あるいは、第１成分と第２成分と第３成分との混合物、もしくは、第１成分と第３成分との混合物に吸収保持される。キッチン水切りトレイ３０は、食器や調理器具、食材等から滴り落ちた水滴がキッチン水切りトレイ３０の外側に漏れ出すことはなく、食器や調理器具、食材等に付着した水滴の水切りを行うことができる。
【００６５】
水分を吸収保持したキッチン水切りトレイ３０は、それを干すことで水分がキッチン水切りトレイ３０（吸水・脱臭材１０Ａ〜１０Ｄのうちのいずれか）から外部に放出され、キッチン水切りトレイ３０が乾燥する。キッチン水切りトレイ３０は、それを干して乾燥させることで繰り返し使用することができる。
なお、複数回の使用で布袋１３が汚れた場合、布袋１３の他方の側部に取り付けられた線ファスナーのスライダーをスライドさせて布袋１３の他方の側部を開放し、布袋１３の他方の側部から不織布袋１２を取り出し、不織布袋１２と布袋１３とを分離して布袋１３を洗濯する。洗濯した布袋１３の他方の側部から不織布袋１２を挿入し、不織布袋１２を布袋１２の内部に収容した後、スライダーをスライドさせて布袋１３の他方の側部を閉める。キッチン水切りトレイ３０は、布袋１３が汚れた場合、布袋１３を洗濯することで布袋１３の汚れを落とすことができるから、清潔な状態で使用することができる。
【００６６】
キッチン水切りトレイ３０は、食器や調理器具、食材等から滴り落ちた水滴がそれら成分に吸収保持されるから、食器や調理器具、食材等から滴り落ちた水滴を迅速に吸収することができ、食器や調理器具、食材等の乾燥状態を保持することができるとともに、カビ臭やカルキ臭、塩素臭等の水の臭いを食器や調理具、食材等から除去することができる。キッチン水切りトレイ３０は、それが吸水・脱臭材１０Ａ〜１０Ｄのうちのいずれかから作られ、食器や調理器具、食材等から滴り落ちた水滴を迅速に吸収することができるから、食器や調理器具、食材等から滴り落ちた水滴の流し台や調理台への滴下や流し台や調理台に対する水滴の散在を防ぐことができる。
【００６７】
図８は、一例として示すコースター３１の斜視図である。コースター３１は、第１成分、または、第１成分と第２成分との混合物、あるいは、第１成分と第２成分と第３成分との混合物、もしくは、第１成分と第３成分との混合物のいずれかを収納袋に収納した吸水・脱臭材１０Ａ〜１０Ｄのうちのいずれかから作られている。収納袋１１は、通気性、透湿性、透水性を有する繊維不織布から作られた不織布袋１２と、不織布袋１２の一方の表面全体および他方の表面全体（外表面全体）を包被する織物または編み物製の布袋１３（不織布袋１２をその内部に収容した布袋１３）とから作られている。
【００６８】
コースター３１（不織布袋１２および布袋１３）は、その平面形状が円形に成形されている。布袋１３は、その周縁部の過半が縫製によって接合されている。布袋１３の周縁部の一部には、スライダーを備えた線ファスナーが取り付けられている。コースター３１では、不織布袋１２が布袋１３の内部に挿脱可能に収容され、不織布袋１２の一方の表面全体および他方の表面全体（外表面全体）が布袋１３に包被されている（覆われている）。
【００６９】
なお、コースター３１の平面形状に特に限定はなく、平面形状を矩形や楕円形、菱形等のあらゆる形状に成形することができる。また、コースター３１の大きさについても特に制限はない。さらに、線ファスナーの他に、フックとループとを備えたメカニカルファスナを布袋１３の周縁部の一部に取り付け、メカニカルファスナを利用して布袋１３の周縁部の一部を開閉することもできる。
【００７０】
コースター３１は、テーブルやカウンターに置かれ、その上（布袋１３の生地の上）にコップやタンブラー、ジョッキ等が載置される。コースター３１では、その上に載置されたコップやタンブラー、ジョッキ等に付着した水滴がコースター３１の上に落ちると、水滴が布袋１３の生地および不織布袋１２の生地を通過し、第１成分、または、第１成分と第２成分との混合物、あるいは、第１成分と第２成分と第３成分との混合物、もしくは、第１成分と第３成分との混合物に吸収保持される。コースター３１は、コップやタンブラー、ジョッキ等から滴り落ちた水滴がコースター３１の外側に漏れ出すことはなく、コップやタンブラー、ジョッキ等に付着した水滴の水切りを行うことができる。
【００７１】
水分を吸収保持したコースター３１は、それを干すことで水分がコースター３１（吸水・脱臭材１０Ａ〜１０Ｄのうちのいずれか）から外部に放出され、コースター３１が乾燥する。コースター３１は、それを干して乾燥させることで繰り返し使用することができる。なお、複数回の使用で布袋１３が汚れた場合、布袋１３の周縁部の一部に取り付けられた線ファスナーのスライダーをスライドさせて布袋１３の周縁部の一部を開放し、布袋１３の周縁部から不織布袋１２を取り出し、不織布袋１２と布袋１３とを分離して布袋１３を洗濯する。洗濯した布袋１３の周縁部から不織布袋１２を挿入し、不織布袋１２を布袋１２の内部に収容した後、スライダーをスライドさせて布袋１３の周縁部の一部を閉める。コースター３１は、布袋１３が汚れた場合、布袋１３を洗濯することで布袋１３の汚れを落とすことができるから、清潔な状態で使用することができる。
【００７２】
コースター３１は、コップやタンブラー、ジョッキ等から滴り落ちた水滴がそれら成分に吸収保持されるから、コップやタンブラー、ジョッキ等から滴り落ちた水滴を迅速に吸収することができ、テーブルやカウンターへの水滴の滴下や水滴の散在を防ぐことができる。コースター３１は、それが吸水・脱臭材１０Ａ〜１０Ｄのうちのいずれかから作られ、コップやタンブラー、ジョッキ等から滴り落ちた水滴を迅速に吸収することができるから、コップやタンブラー、ジョッキ等から滴り落ちた水滴の水溜まりを防ぐことができ、テーブルやカウンターの美感や清潔感を保持することができる。
【００７３】
図９は、一例として示す靴脱臭・除湿材３２の斜視図であり、図１０は、靴３４の内部に挿入された状態の靴脱臭・除湿材３２の斜視図である。靴脱臭・除湿材３２は、第１成分、または、第１成分と第２成分との混合物、あるいは、第１成分と第２成分と第３成分との混合物、もしくは、第１成分と第３成分との混合物のいずれかを収納袋に収納した吸水・脱臭材１０Ａ〜１０Ｄのうちのいずれかから作られている。収納袋１１は、通気性、透湿性、透水性を有する繊維不織布から作られた不織布袋１２と、不織布袋１２をその内部に収容した布袋１３とから作られている。
【００７４】
靴脱臭・除湿材３２は、その形状が角筒状に成形されている。布袋１３は、その周縁部が縫製によって接合されて頂部開口を有する袋状に成形されている。布袋１３の頂部開口は、紐３３を結ぶことによって閉められている。靴脱臭・除湿材３２では、不織布袋１２が布袋１３の内部に挿脱可能に収容され、不織布袋１２の表面全体（外表面全体）が布袋１３に包被されている（覆われている）。なお、靴脱臭・除湿材３２の形状に特に限定はなく、形状を円筒状や円錐形、板状、ロール状等のあらゆる形状に成形することができる。また、靴脱臭・除湿材３２の大きさについても特に制限はない。
【００７５】
靴脱臭・除湿材３２は、それが靴３４の中（内部）に差し込まれ、靴３４の内部に挿入される。靴脱臭・除湿材３２では、靴３４の中（内部）の湿気（湿分）が布袋１３の生地および不織布袋１２の生地を通過し、第１成分、または、第１成分と第２成分との混合物、あるいは、第１成分と第２成分と第３成分との混合物、もしくは、第１成分と第３成分との混合物に吸収保持され、靴３４の内部が除湿される。また、靴３４の内部の臭気（臭い成分）が布袋１３の生地および不織布袋１２の生地を通過し、第１成分、または、第１成分と第２成分との混合物、あるいは、第１成分と第２成分と第３成分との混合物、もしくは、第１成分と第３成分との混合物に吸収保持され、靴３４が脱臭される。なお、靴３４には、革靴や運動靴、ブーツ等のあらゆる靴が含まれる。
【００７６】
湿気や臭気を吸収保持した靴脱臭・除湿材３２は、それを干すことで湿気や臭気が靴脱臭・除湿材３２（吸水・脱臭材１０Ａ〜１０Ｄのうちのいずれか）から外部に放出され、靴脱臭・除湿材３２が乾燥する。靴脱臭・除湿材３２は、それを干して乾燥させることで繰り返し使用することができる。なお、複数回の使用で布袋１３が汚れた場合、紐３３を解いて布袋１３の頂部開口を開放し、布袋１３の内部から不織布袋１２を取り出し、不織布袋１２と布袋１３とを分離して布袋１３を洗濯する。洗濯した布袋１３の内部に不織布袋１２を収容した後、紐３３を結んで頂部開口を閉める。靴脱臭・除湿材３２は、布袋１３が汚れた場合、布袋１３を洗濯することで布袋１３の汚れを落とすことができるから、清潔な状態で使用することができる。
【００７７】
靴脱臭・除湿材３２は、靴３４の中（内部）の湿気がそれら成分に吸収保持されるから、靴３４の中の湿気を迅速に吸収することができ、靴３４の中の湿気を取り除くことができる。靴脱臭・除湿材３２は、靴３４の乾燥状態を保持することができ、靴３４へのカビの発生や菌の繁殖を防ぐことができる。靴脱臭・除湿材３２は、靴３４の臭気（臭い成分）がそれら成分に吸収保持されるから、靴３４を脱臭することができ、靴３４の不快な臭いを取り除くことができる。靴脱臭・除湿材３２は、それが吸水・脱臭材１０Ａ〜１０Ｄのうちのいずれかから作られ、湿気や臭気を迅速に吸収することができるから、靴３４の美感や清潔感を保持することができる。
【００７８】
図１１は、一例として示す下駄箱脱臭・除湿材３５の斜視図である。下駄箱脱臭・除湿材３５は、第１成分、または、第１成分と第２成分との混合物、あるいは、第１成分と第２成分と第３成分との混合物、もしくは、第１成分と第３成分との混合物のいずれかを収納袋に収納した吸水・脱臭材１０Ａ〜１０Ｄのうちのいずれかから作られている。収納袋１１は、通気性、透湿性、透水性を有する繊維不織布から作られた不織布袋１２と、不織布袋１２の一方の表面全体および他方の表面全体（外表面全体）を包被する織物または編み物製の布袋１３（不織布袋１２をその内部に収容した布袋１３）とから作られている。
【００７９】
下駄箱脱臭・除湿材３５は、（不織布袋１２および布袋１３）は、その平面形状が長方形に成形されている。布袋１３は、一方の側部と両端部とが縫製によって接合されている。布袋１３の他方の側部には、スライダーを備えた線ファスナーが取り付けられている。下駄箱脱臭・除湿材３３では、不織布袋１２が布袋１３の内部に挿脱可能に収容され、不織布袋１２の一方の表面全体および他方の表面全体（外表面全体）が布袋１３に包被されている（覆われている）。
【００８０】
なお、下駄箱脱臭・除湿材３５の形状に特に限定はなく、形状をロール状や角筒形、円筒状等のあらゆる形状に成形することができる。また、下駄箱脱臭・除湿材３３の大きさについても特に制限はない。さらに、線ファスナーの他に、フックとループとを備えたメカニカルファスナを布袋１３の他方の側部に取り付け、メカニカルファスナを利用して布袋１３の他方の側部を開閉することもできる。
【００８１】
下駄箱脱臭・除湿材３５は、下駄箱３６の中（内部）の棚に載置されて下駄箱３６に敷かれ、その上（布袋１３の生地の上）に靴が置かれる。下駄箱脱臭・除湿材３５では、下駄箱３６の中（内部）の湿気（湿分）が布袋１３の生地および不織布袋１２の生地を通過し、第１成分、または、第１成分と第２成分との混合物、あるいは、第１成分と第２成分と第３成分との混合物、もしくは、第１成分と第３成分との混合物に吸収保持され、下駄箱３６の内部が除湿される。また、下駄箱３６の内部の臭気（臭い成分）が布袋１３の生地および不織布袋１２の生地を通過し、第１成分、または、第１成分と第２成分との混合物、あるいは、第１成分と第２成分と第３成分との混合物、もしくは、第１成分と第３成分との混合物に吸収保持され、下駄箱３６が脱臭される。
【００８２】
湿気や臭気を吸収保持した下駄箱脱臭・除湿材３５は、それを干すことで湿気や臭気が下駄箱脱臭・除湿材３５（吸水・脱臭材１０Ａ〜１０Ｄのうちのいずれか）から外部に放出され、下駄箱脱臭・除湿材３５が乾燥する。下駄箱脱臭・除湿材３５は、それを干して乾燥させることで繰り返し使用することができる。なお、複数回の使用で布袋１３が汚れた場合、布袋１３の他方の側部に取り付けられた線ファスナーのスライダーをスライドさせて布袋１３の他方の側部を開放し、布袋１３の他方の側部から不織布袋１２を取り出し、不織布袋１２と布袋１３とを分離して布袋１３を洗濯する。洗濯した布袋１３の他方の側部から不織布袋１２を挿入し、不織布袋１２を布袋１２の内部に収容した後、スライダーをスライドさせて布袋１３の他方の側部を閉める。下駄箱脱臭・除湿材３５は、布袋１３が汚れた場合、布袋１３を洗濯することで布袋１３の汚れを落とすことができるから、清潔な状態で使用することができる。
【００８３】
下駄箱脱臭・除湿材３５は、下駄箱３６の中（内部）の湿気がそれら成分に吸収保持されるから、下駄箱３６の中の湿気を迅速に吸収することができ、下駄箱３６の内部の湿気や下駄箱３６の収容された靴の湿気を取り除くことができる。下駄箱脱臭・除湿材３５は、下駄箱３６や下駄箱３６の内部の靴の乾燥状態を保持することができ、下駄箱３６内でのカビの発生や菌の繁殖を防ぐことができるとともに、下駄箱３６に収納された靴へのカビの発生や菌の繁殖を防ぐことができる。
【００８４】
下駄箱脱臭・除湿材３５は、下駄箱３６の中（内部）の臭気（臭い成分）がそれら成分に吸収保持されるから、下駄箱３６の中を脱臭することができるとともに、下駄箱３６の中に収容された靴を脱臭することができ、下駄箱３６の不快な臭いや靴の不快な臭いを取り除くことができる。下駄箱脱臭・除湿材３５は、それが吸水・脱臭材１０Ａ〜１０Ｄのうちのいずれかから作られ、湿気や臭気を迅速に吸収することができるから、下駄箱３６や下駄箱３６に収容された靴の美感や清潔感を保持することができる。
【符号の説明】
【００８５】
１０Ａ  吸水・脱臭材
１０Ｂ  吸水・脱臭材
１０Ｃ  吸水・脱臭材
１０Ｄ  吸水・脱臭材
１１    収納袋
１２    不織布袋
１３    布袋
１４    両端縁部
１５    両側縁部
１６    溶着線
１７    収容部
１８    傘カバー
１９    折り畳み雨傘
２０    挿入開口
２１    収容部
２２    ＰＥＴボトルカバー
２３    底壁部
２４    周壁部
２５    ＰＥＴボトル
２６    挿入開口
２７    収容部
２８    巾着紐
２９    バスマット
３０    キッチン水切りトレイ
３１    コースター
３２    靴脱臭・除湿材
３３    紐
３４    靴
３５    下駄箱脱臭・除湿材
３６    下駄箱
【図１】
2019037922.tif 000003
【図２】
2019037922.tif 000004
【図３】
2019037922.tif 000005
【図４】
2019037922.tif 000006
【図５】
2019037922.tif 000007
【図６】
2019037922.tif 000008
【図７】
2019037922.tif 000009
【図８】
2019037922.tif 000010
【図９】
2019037922.tif 000011
【図１０】
2019037922.tif 000012
【図１１】
2019037922.tif 000013